(57)【要約】【課題】構成が簡単で、安価でしかも、確実に然も容易に適宜の表示板を着脱自在に装着、取り替えが可能な表示具保持装置を提供する。【解決手段】適宜の表示具２を係止し保持する表示具支持部３を搭載している平面状或いは一部に中折れ状若しくは中湾曲状を有し、その長手方向の両端縁に溝挿入部７０、７１が設けられている表示具支持部搭載板部４と、当該表示具支持部搭載板部４を挿入自在に受け入れる表示具支持部搭載板部係止部材５とから構成された表示具保持装置１であって、当該表示具支持部３は、当該中折れ部若しくは中湾曲部４０の両端部４５、４６からその先端部５０、５１同士が互いに当接するか近接する様に所定の傾斜角度を形成して中折れ方向或は中湾曲方向に向けて延展せしめられている一対の表示具支持板部６１、６２を有する表示具保持装置１。【選択図】図１
0003130018.tif 000002
【実用新案登録請求の範囲】
【請求項１】
適宜の表示具を係止し保持する表示具支持部を搭載している平面状部或いは当該表示具支持部の長手方向に沿った両縁端から外方に延展形成されている平面状部を有し、当該平面状部の長手方向に沿った両端縁部が溝挿入部として機能している表示具支持部搭載板部と、
適宜の幕板面或いは壁面を含む任意の表示具取り付け可能面に接合固定可能な基板を有し、当該表示具支持部搭載板部を摺動可能に且つ着脱自在に係止する当該表示具支持部搭載板部受け溝部が当該基板の周縁部の少なくとも一部に相互に対向する様に設けられていると同時に当該基板の縁部の一部に当該表示具支持部搭載板部の落下防止部と当該表示具支持部搭載板部の少なくとも一部を当該溝部に挿入させる挿入開口部とが設けられている表示具支持部搭載板部係止部材と、
から構成されている表示具保持装置であって、
当該表示具支持部は、当該中折れ部若しくは中湾曲部を有する基底部とその両端部から各先端部同士が互いに当接するか近接する様に所定の傾斜角度を形成して中折れ方向若しくは中湾曲方向に向けて延展せしめられている一対の表示具支持板部とを有すると共に、当該一対の当該表示具支持板部の当該先端部は、当該表示具を挿入抜き取り自在に構成されていると同時に当該表示具を保持固定する為に、それぞれ相互に対向する当該先端部に向けての押圧力が付与されている事を特徴とする表示具保持装置。
【請求項２】
当該表示具支持部に於ける当該一対の表示具支持板部と当該中折れ部若しくは中湾曲部を有する基底部と当該基底部の長手方向に沿った両縁端から外方に延展形成されている当該平面状部とは合成樹脂により一体的に形成されている事を特徴とする請求項１に記載の表示具保持装置。
【請求項３】
当該表示具支持部は、当該表示具支持部の当該中折れ状部若しくは中湾曲状部を有する当該基底部から垂下された適宜の脚部を介して当該平板状部に接合固定されている事を特徴とする請求項１に記載の表示具保持装置。
【請求項４】
当該表示具支持部に於ける当該一対の表示具支持板部と当該一部に中折れ状若しくは中湾曲状を有する当該基底部と当該脚部と当該平板状部とは合成樹脂により一体的に形成されている事を特徴とする請求項３に記載の表示具保持装置。
【請求項５】
当該平面状部、或いは一部に中折れ状若しくは中湾曲状を有する当該基底部の長手方向の両端縁に設けられた当該平面状部に設けられている溝挿入部が、当該表示具支持部搭載板部受け溝部内に挿入抜き取り自在に挿入される様に構成されている事を特徴とする請求項１乃至４の何れかに記載の表示具保持装置。
【請求項６】
当該一対の表示具支持板部の当該双方の先端部には、表示具を案内するガイド部材が設けられている事を特徴とする請求項１乃至５の何れかに記載の表示具保持装置。
【請求項７】
当該一対の表示具支持板部の当該双方の先端部には、表示具を案内する回転ローラーが設けられている事を特徴とする請求項６に記載の表示具保持装置。
【請求項８】
当該表示具支持部に於ける当該基底部の少なくとも一部に当該表示具の端部を固定把持する表示具把持部が設けられている事を特徴とする請求項１乃至７の何れかに記載の表示具保持装置。
【請求項９】
当該表示具支持部搭載板部係止部材の当該基板には、螺子孔若しくは螺子孔開口予定部が設けられている事を特徴とする請求項１乃至８の何れかに記載の表示具保持装置。
【請求項１０】
当該基板に於ける任意の表示具取り付け可能面と対向する面に両面接着材が設けられている事を特徴とする請求項１乃至９の何れかに記載の表示具保持装置。
【請求項１１】
当該基板の当該表示具支持部搭載板部落下防止部の少なくとも一部に切欠部が設けられている事を特徴とする請求項１乃至１０の何れかに記載の表示具保持装置。
【請求項１２】
当該表示具支持部搭載板部は、当該表示具の種類、当該表示具支持部の種類、或いは当該表示具支持部の支持機能の劣化等に応答して、使用中の表示具支持部搭載板部と別の表示具支持部搭載板部とが当該表示具支持部搭載板部係止部材に於いて差替自在となる様に構成されている事を特徴とする請求項１乃至１１の何れかに記載の表示具保持装置。
【考案の詳細な説明】
【技術分野】
【０００１】
本考案は、パチンコ機或いはスロットマシン若しくはゲーム機等の表示具或いは商店、デパート、スーパー、コンビニ、ディスカウントショップ等に於ける商品陳列棚や広告宣伝ボード等の表示具の保持装置に関するものである。
【背景技術】
【０００２】
従来から、パチンコ店等では、多数のパチンコ機或いはスロットマシン若しくはゲーム機等が配置され同時に稼動しており、それらのうちの個々のパチンコ機或いはスロットマシン若しくはゲーム機が現在どのような状体になっているかを知ることは、パチンコ店等の従業員にとっては、管理上必要なことであり、一方ユーザーにとってもその情報は、遊戯する上で貴重な情報である。
【０００３】
例えば、特定のパチンコ機或いはスロットマシン若しくはゲーム機が現在如何なる状態にあるのかを瞬時に従業員或いはユーザーが判別できるようにする為に、大型の表示板を使用するとか特定の色柄を持つフラグを立てるとかの方法を採用しており、且つそれぞれの表示具は頻繁に取り替えて使用するのが殆どである。
【０００４】
同様に、本屋に於ける書棚或いは商店、デパート、スーパー、コンビニ、ディスカウントショップ等に於ける商品陳列棚等でも、ベストセラー書物とか、チラシ広告商品、特売セール対象商品、更には日替わりサービス商品等を顧客に強くアッピールする為に、比較的大きな表示具を使用してセールスポイントを掲載した紙製、プラスチックフィルム製、或いはそれらの板状体を適宜の表示具支持部に差し込んだり貼り付けたりして掲示しており、それを日替わり、週替わり等の時間間隔で頻繁に取替えながら使用している。
【０００５】
然しながら、一般的に使用されている当該表示具を所定の場所に掲示保持する表示具保持装置３１の一例としては、図５に示されている通り、パチンコ機或いはスロットマシン若しくはゲーム機３２等が配置されている幕板３０上に、主としてプラスチック製で一体的に成型された本体部２０を有し、当該本体部２０は、基板２１の両端部から所定の角度で個別に延展された一対の板状体２２、２３が相互に接触する位置２４から当該本体部２０の内部空間内を下方に向けて屈折されて形成された一対のスリット板状体２５、２６間に所望の表示具２を挿入して保持する様に構成された表示具保持装置３１が示されている。
【０００６】
然しながら、係る従来の表示具保持装置に於いては、当該スリット２９間に発生する当該表示具の狭持把持力は、当該プラスチック材料の塑性、弾性による反発力のみであるから、挿入された当該表示具表示プレートを強く挟持することはできず、従って大型の表示具を使用することは困難であると共に、如何に通常の大きさの表示具を使用したとしても長期間使用している間に当該スリット部２９が徐々に開拡され、当該表示具を保持する機能が失われるので、早期に交換する必要があるという問題があった。
【０００７】
又、当該表示具２も状況によって、種々の異なる表示具２を取替えて使用する必要があり、例えば、プラスチック板からなる表示具を使用していた後に旗を当該表示具として使用する場合等がありうるが、従来の表示具保持装置では、一つの表示具保持装置には多目的な機能を有するものがなく、従ってその場合も当該表示具保持装置の全てを交換する事が必要であった。
【０００８】
処で、上記した従来の表示具保持装置では、当該表示具保持装置を直接パチンコ機或いはスロットマシン若しくはゲーム機等に於いて使用される幕板或いは壁面或いは商店、デパート、スーパー、コンビニ、ディスカウントショップ等に於ける商品陳列棚等の側壁板面或いは壁面に直接螺子止め或いは両面接着材等で接合固定するものである。
【０００９】
従って、当該表示具保持装置を当該幕板或いは側壁板或いは壁面から取り外す際には、当該螺子を外す必要があり操作が複雑で時間が係るという問題の他、幕板或いは壁面の塗装や壁紙を破壊する事も多く、その補修にかなりのコストが係るという問題もあった。
【考案の開示】
【考案が解決しようとする課題】
【００１０】
従って、本考案の目的は、上記した従来に於けるパチンコ機等或いは商品陳列台等に於ける表示具保持装置での問題点を解消し、構成が簡単で、安価でしかも、確実に然も容易に適宜の表示具を着脱自在に装着、取り替えが可能な表示具保持装置を提供するものである。
【課題を解決するための手段】
【００１１】
本考案は、上記目的を達成するために、以下に示す様な基本的技術構成を採用するものである。
【００１２】
即ち、本考案に係る表示具保持装置は、適宜の表示具を係止し保持する表示具支持部を搭載している平面状部或いは当該表示具支持部の長手方向に沿った両縁端から外方に延展形成されている平面状部を有し、当該平面状部の長手方向に沿った両端縁部が溝挿入部として機能している表示具支持部搭載板部と、適宜の幕板面或いは壁面を含む任意の表示具取り付け可能面に接合固定可能な基板を有し、当該表示具支持部搭載板部を摺動可能に且つ着脱自在に係止する当該表示具支持部搭載板部受け溝部が当該基板の周縁部の少なくとも一部に相互に対向する様に設けられていると同時に当該基板の縁部の一部に当該表示具支持部搭載板部の落下防止部と当該表示具支持部搭載板部の少なくとも一部を当該溝部に挿入させる挿入開口部とが設けられている表示具支持部搭載板部係止部材とから構成されている表示具保持装置であって、当該表示具支持部は、当該中折れ部若しくは中湾曲部を有する基底部とその両端部から各先端部同士が互いに当接するか近接する様に所定の傾斜角度を形成して中折れ方向若しくは中湾曲方向に向けて延展せしめられている一対の表示具支持板部とを有すると共に、当該一対の当該表示具支持板部の当該先端部は、当該表示具を挿入抜き取り自在に構成されていると同時に当該表示具を保持固定する為に、それぞれ相互に対向する当該先端部に向けての押圧力が付与されている事を特徴とする表示具保持装置であって、要すれば、当該溝部の高さが当該表示具支持部搭載板部の厚みと同一か或いは若干大きくなるように設定されており、且つ当該基板の当該表示具支持部搭載板部と対向する面の一部にストッパー部が設けられている表示具保持装置に於いて、当該表示具支持部は、当該中折れ部若しくは中湾曲部の両端部からその先端部同士が互いに当接するか近接する様に所定の傾斜角度を形成して中折れ方向若しくは中湾曲方向に向けて延展せしめられている一対の表示具保持板部を有すると共に、当該一対の当該表示具保持板部の当該先端部は、当該表示具を挿入抜き取り自在に構成されていると同時に当該表示具を保持固定する為に、それぞれ相互に対向する当該先端部に向けての押圧力が付与されている事を特徴とする表示具保持装置である。
【考案の効果】
【００１３】
本考案に於ける当該パチンコ機等の表示具は、上記した様な技術構成を採用しているので、構成が簡単で、安価でしかも、確実に当該表示具の把持力を喪失した表示具支持部や、異なる表示具を支持しうる表示具支持部を着脱自在に容易に且つ迅速に取り替えが可能な表示具保持装置が得られるのである。
【００１４】
然も、本考案では、合成樹脂の一体成型部材でありながら、当該表示具を押圧保持する機能に優れ然も長期間に亘って、当該押圧保持力を高度に維持する事が出来るので、維持コストが安く然も経済的であるという効果を有するものである。
【考案を実施するための最良の形態】
【００１５】
以下に、本考案にかかる表示具保持装置の具体的な構成の例を図面を参照しながら詳細に説明する。
【００１６】
即ち、図１及び図３は、本考案に係る表示具保持装置の一具体例の構成を示すものであって、図中、適宜の表示具２を係止し保持する表示具支持部３を搭載している平面状部１０或いは当該表示具支持部３の長手方向（Ｌ）に沿った両縁端から外方に延展形成されている平面状部１０を有し、当該平面状部１０の長手方向（Ｌ）に沿った両端縁部１１が溝挿入部７３，７４として機能している表示具支持部搭載板部４と、適宜の幕板面或いは壁面を含む任意の表示具取り付け可能面３０に接合固定可能な基板６を有し、当該表示具支持部搭載板部４を摺動可能に且つ着脱自在に係止する当該表示具支持部搭載板部受け溝部７が当該基板６の周縁部の少なくとも一部に相互に対向する様に設けられていると同時に当該基板６の縁部の一部に当該表示具支持部搭載板部４の落下を防止する為の落下防止部８と当該表示具支持部搭載板部４の少なくとも一部を当該溝部７に挿入させる挿入開口部９とが設けられている表示具支持部搭載板部係止部材５とから構成されている表示具保持装置１であって、当該溝部７の高さが当該表示具支持部搭載板部４の厚みと同一か或いは若干大きくなるように設定されており、且つ当該基板６の当該表示具支持部搭載板部４と対向する面４１の一部にストッパー部１００が設けられている表示具保持装置１に於いて、当該表示具支持部３は、当該中折れ部若しくは中湾曲部４２を有する基底部４０とその両端部４５、４６から各先端部５０、５１同士が互いに当接するか近接する様に所定の傾斜角度を形成して中折れ方向若しくは中湾曲方向に向けて延展せしめられている一対の表示具支持板部６１、６２とを有すると共に、当該一対の当該表示具支持板部６１、６２の当該先端部５０、５１は、当該表示具２を挿入抜き取り自在に構成されていると同時に当該表示具２を保持固定する為に、それぞれ相互に対向する当該先端部５０、５１に向けての押圧力が付与されている表示具保持装置１が示されている。
【００１７】
本考案に於いて使用される当該表示具２の材料、形状或いはサイズ等は特に限定されるものではなく、任意の形状或いは大きさのものが使用でき、又当該表示具２に示される表示内容も特定されるものではない。
【００１８】
又、本考案に於いて使用される当該表示具２は、例えば、適宜の紙或いはフィルムに適宜の文字或いは画像を表示したもの或いはそれらの表裏両面に適宜の合成樹脂からなるカバーフィルム等でサンドイッチ状に相互に張り合わせラミネート加工により構成されたもの等が使用出来る。
【００１９】
本考案に使用される当該表示具支持部搭載板部に設けられる当該一対の表示具支持部３の形状、寸法、傾斜角度等は、特に限定されるものではなく、使用される当該表示具２の大きさ、重量、厚み等を勘案して適宜に設定する事が可能である。
【００２０】
又、当該一対の表示具支持部３のそれぞれの表示具支持板部６１、６２の形状は、図１では、平板状の構造を示しているが、例えば、湾曲状の板状体を使用する事も可能である。
【００２１】
更に、本考案の当該表示具支持部搭載板部４に於ける当該一対の表示具支持板部６１、６２が接続されている基底部４０は、中折れ状若しくは中湾曲状４２を有している事が好ましく、係る基底部４０と当該一対の表示具支持板部６１、６２とが一体的に成型加工されることによって、当該一対の表示具支持板部６１、６２同士が相互に密着する押圧力或いは当該一対の表示具支持板部６１、６２同士が所定の間隔を介して対向する状態から離反する力に対して反発する反発力を強固に保持することが可能となり更には、当該押圧力或は反発力を長期間に亘って維持することが可能となる。
【００２２】
即ち、本考案に於いては、当該表示具支持部３を構成する一対の当該表示具支持板部６１、６２と少なくとも一部に中折れ状若しくは中湾曲状部４２を有する当該基底部４０とは合成樹脂材料等により一体的に形成されている事が望ましい。
【００２３】
更に詳述するならば、本考案に於ける、当該表示具支持部３を構成する一対の当該表示具支持板部６１、６２は、中折れ状若しくは中湾曲状を有する基底部４０の両端部４５、４６からその先端部５０、５１同士が互いに当接するか近接する様に所定の傾斜角度を形成して中折れ方向或は中湾曲方向に向けて延展せしめられていると共に、当該一対の当該表示具支持板部６１、６２の当該先端部５０、５１は、当該表示具２を挿入抜き取り自在に構成されていると同時に当該表示具２を保持固定する為に、それぞれ相互に対向する当該先端部に向けての押圧力が付与されている様な構成を有するものである。
【００２４】
そして、図１に示す様に、本考案に於いては、適宜の表示具２を係止し保持する表示具支持部３を搭載している一部に中折れ状若しくは中湾曲状部を有する当該基底部４０の両端部から表示具支持部３の長手方向（Ｌ）に沿って外方に延展形成されている一対の平面状部１０は、当該表示具支持部搭載板部４として機能するものであり、かつ前記した溝部７と係合する溝挿入部７３、７４としても機能する。
【００２５】
又、図２に示す様に、本考案では、上記した表示具支持部３を構成する一対の表示具支持板部６１、６２と当該基底部４０及び当該一対の平面状部１０とが合成樹脂等により、一体的に成型されたものである事が好ましい。
【００２６】
又、本考案に於ける当該表示具支持部３に於ける当該表示具支持板部６１、６２の先端部５０、５１に設けられる当該表示具２の挿入部８０の形状も特に限定されるものではなく、その両者が相互に当接している場合であっても良く或は当該表示具２の厚みを勘案して予め所定の間隙部を形成しておくものであっても良い。
【００２７】
更に、当該表示具支持板部６１、６２の先端部５０、５１には、当該表示具２を容易に挿入可能にする為の適宜のガイド部材９０、９１が設けられていることも好ましい具体例であって、例えば、図２や図３に示す様な形状のガイド部材や図４に示す様に、当該表示具支持板部６１、６２の先端部５０、５１に適宜のローラー部材９３、９４を配置したものであっても良い。
【００２８】
一方、本考案に於いて使用される当該表示具支持部搭載板部係止部材５の形状、構造、寸法等も特定のものに限定されるものではなく、上記した当該表示具支持部搭載板部４の形状、寸法、使用用途或いは使用場所等によって適宜変更して使用する事が出来るものであり、更には、上記の構成が合成樹脂等で一体的に成型されるものである。
【００２９】
特に、本考案に係る当該表示具支持部搭載板部係止部材５の構成は、図５に示されている様に、適宜の幕板面或いは壁面を含む任意の表示具取り付け可能面３０に接合固定可能な基板６を有し、当該表示具支持部搭載板部４を摺動可能に且つ着脱自在に係止する当該表示具支持部搭載板部受け溝部７が当該基板６の周縁部の少なくとも一部、例えば、当該基板６の左右両側８１、８２の一部若しくは全部の範囲に、その溝開口部７１、７２が相互に対向する様に設けられている事が望ましい。
【００３０】
当該溝部７の断面形状は図２又は図３に示す様なコの字型の断面形状を有するもので有っても良く、或いはその断面が湾曲状を呈するもの或いはその他の断面形状を呈するもので有っても良いことは言うまでも無い。
【００３１】
更に、本考案に於ける当該表示具支持部搭載板部係止部材５に於いては、当該基板６の周縁部の一部、つまり、当該表示具支持部搭載板部係止部材５の当該基板６に於ける最下端部８３に適宜の当該表示具支持部搭載板部４が当該溝部から落下、脱落しない様にするための落下防止部材８が設けられていると共に、当該表示具支持部搭載板部４を当該溝部７内に挿入する為の挿入開口部９が、当該落下防止部材８と対向して当該表示具支持部搭載板部係止部材５の当該基板６の上端縁部に設けられている事が望ましい。
【００３２】
尚、本考案に於ける当該表示具支持部搭載板部係止部材５の当該基板６に於ける最下端部８３には、当該表示具支持部搭載板部４に於ける当該基底部４０及び当該表示具支持板部６１、６２の端部の少なくとも一部を受け入れる為の切欠部８４が設けられている事も望ましい。
【００３３】
更に、本考案に於ける当該表示具支持部搭載板部係止部材５は、図示の様に、当該挿入開口部９を垂直上方に位置する様に、螺子手段８５、８７或いは両面接着テープ等の接着手段８６を利用して、当該表示具取り付け可能面３０に接合固定されるものである。
【００３４】
即ち、本考案に於ける当該表示具支持部搭載板部係止部材５の当該基板６には、適宜の個数の螺子孔部８７を予め設けておくことも可能であり、又当該基板６の当該表示具取り付け可能面３０と対向する面４３に予め両面接着テープ８６等を貼着させておく事も可能である。
【００３５】
上記の説明から明らかな通り、本考案では、複数種類の当該表示具支持部３を有する当該表示具支持部搭載板部４をそれぞれ多数個を用意しておき、当該表示具２の形状や大きさが変更された場合に、適切な構造を有する表示具支持部支持部３を適宜選択して現在使用中の当該表示具支持部３を有する当該表示具支持部搭載板部４と交換するか、或いは現在使用中の当該表示具３の表示具把持力が低下した場合には、当該表示具支持部搭載板部４を当該表示具支持部搭載板部係止部材５から抜き出して、同一の形状の表示具支持部３を有する新品の当該表示具支持部搭載板部４を当該表示具支持部搭載板部係止部材５に挿入して現在使用中の当該表示具支持部３を有する当該表示具支持部搭載板部４と交換する様に使用するものである。
【００３６】
本考案の特徴は、上記交換操作に際して、容易に且つ短時間に交換することが可能でコストがかからない表示具保持装置１が提供される事である。
【００３７】
本考案に於いては、上記した図１に示すそれぞれの表示具支持部３を適宜の厚みと大きさ並びに適宜の形状を有する表示具支持部搭載板部４を予め多数個用意しておくものである。
【００３８】
本考案に於ける当該表示具支持部搭載板部４の他の具体例としては、図３に示す様に、図１に示す前記具体例が当該表示具支持部搭載板部４と当該表示具支持部３とを直接一体的に成型加工する構造を有しているのに対し、当該表示具支持部３と当該表示具支持部搭載板部４とを分離して成型するものである。
【００３９】
即ち、本具体例では、適宜の表示具２を係止し保持する表示具支持部３を搭載している平面状を有し、その長手方向（Ｌ）に沿って形成されている両端縁に溝挿入部７３、７４が設けられている平面状部１０からなる表示具支持部搭載板部４と、適宜の幕板面或いは壁面を含む任意の表示具取り付け可能面３０に接合固定可能な基板６を有し、当該表示具支持部搭載板部４を摺動可能に且つ着脱自在に係止する当該表示具支持部搭載板部受け溝部７が当該基板６の周縁部の少なくとも一部に相互に対向する様に設けられていると同時に当該基板６の縁部の一部に当該表示具支持部搭載板部４の落下防止部８と当該表示具支持部搭載板部４の少なくとも一部を当該溝部７に挿入させる挿入開口部９とが設けられている表示具支持部搭載板部係止部材５とから構成されている表示具保持装置１であって、当該溝部７の高さが当該表示具支持部搭載板部４の厚みと同一か或いは若干大きくなるように設定されており、且つ当該基板６の当該表示具支持部搭載板部４と対向する面４１の一部にストッパー部１００が設けられている表示具保持装置１に於いて、当該表示具支持部３は、中折れ状若しくは中湾曲状４２を有する基底部４０と当該基底部４０の両端部４５、４６からその先端部５０、５１同士が互いに当接するか近接する様に所定の傾斜角度を形成して中折れ方向或は中湾曲方向に向けて延展せしめられている一対の表示具支持板部６１、６２を有すると共に、当該一対の当該表示具支持板部６１、６２の当該先端部５０、５１は、当該表示具２を挿入抜き取り自在に構成されていると同時に当該表示具２を保持固定する為に、それぞれ相互に対向する当該先端部５０、５１に向けての押圧力が付与されている様な構成を有するものであって、当該表示具支持部３は、当該表示具支持部３の当該基底部４０から垂下された適宜の脚部４７、４８を介して当該平面状部１０からなる当該表示具支持部搭載板部４に接合固定されている表示具保持装置１である。
【００４０】
本具体例における当該表示具支持部３の機能、作用効果は上記具体例の場合と実質的に同一であるので、その説明は省略する。
【００４１】
又、上記具体例と本具体例における当該表示具支持部３が当該表示具支持部搭載板部係止部材５の溝７内に挿入されて使用される場合の具体例は、図２及び図３にそれぞれ示されている。
【００４２】
又、本具体例に於いても当該一対の表示具支持板部６１、６２と当該一部に中折れ状若しくは中湾曲状４２を有する当該基底部４０及び当該脚部４７、４８と当該平面状部１０からなる表示具支持部搭載板部４とは合成樹脂により一体的に形成されている事が望ましい。
【００４３】
更に、本具体例では当該平板状表示具支持部搭載板部４の長手方向（Ｌ）に沿って両端縁部に形成された溝挿入部７３、７４が当該表示具支持部搭載板部係止部材５に形成された当該溝部７内に挿入抜き取り自在に挿入されるものである。
【００４４】
即ち、本考案に於ける当該表示具保持装置１は、実際の使用態様は、図１乃至図３に示す通りであって、予め所望の構造を有する選択された当該表示具支持部３が搭載されている当該表示具支持部搭載板部４を、予め適宜の幕板或いは壁面に固定されている当該表示具支持部搭載板部係止部材５の当該溝部７内に嵌合する様に、当該平板挿入開口部９から摺動挿入させることにより表示具保持装置１が完成する。
【００４５】
本考案に於ける当該表示具保持装置１の全ての構成材料は、特に限定されないが、金属材料、合成樹脂材料、複合材料等が使用されるが、特には合成樹脂材料で構成されることが望ましく、例えば、アクリル系合成樹脂、ＡＢＳ系合成樹脂、ポリカーボネート系合成樹脂等が使用可能であり、又金属としては、アルミや鉄が使用可能である。
【００４６】
本考案で使用される当該表示具支持部搭載板部４の厚みＴは、特に限定されるものではないが、例えば、１．９ｍｍに設定する事が可能である。
【００４７】
従って、当該表示具支持部搭載板部４の厚みが上記の設定である場合には、当該表示具支持部搭載板部係止部材５の溝部７の高さＬも１．９ｍｍ若しくはそれよりも若干長くなるように設定される事が望ましい。
【００４８】
更に、本考案に於ける当該基板６の当該表示具支持部搭載板部４と対向する面４１の一部であって当該平板落下防止部８に近接する部位に、ストッパー機能を有する少なくとも１つの突起部１００が設けられている事が望ましい。
【００４９】
当該突起部１００は、図６（Ａ）に示す様に、当該基板６の面４１に於ける当該両溝部７間の略中央部であることが望ましいがこれに限定されるものではなく、又その個数も１個のみでなく複数個設ける事も可能である。
【００５０】
又、当該突起部１００は、当該平板落下防止部８から数ｍｍ離れて配置されている事が好ましい。
【００５１】
又、当該突起部１００の高さ或は断面形状も特に限定されるものではないが、その高さは、当該表示具支持部搭載板部４の厚み及び当該溝部７の高さ等を勘案して設定される事が望ましく、実際には、数ｍｍ以下である事が好ましい。
【００５２】
更に当該突起部１００の断面形状は例えば、半円形、半楕円形、三角形或はこれらの変形形状のいずれか１つで構成されている事が望ましく、後述する当該平板状部１０に設けられる当該突起係合部１０１との間で相互に係合離脱が容易に実行できる様な形状を採用する事が好ましい。
【００５３】
一方、図６（Ｂ）に示す様に、本考案の当該表示具支持部搭載板部４に於ける当該基板６の一方の面４１と対向する面４７に於ける少なくとも１つの端部４８の近傍に当該突起部１００と係合する突起係合部１０１が設けられる事が望ましく、その配置位置は、当該基板６に設けられている当該突起部１００の配置位置との関係で決定される事が望ましい。
【００５４】
かかる構成を採用する事によって、当該表示具支持部搭載板部４は当該突起部１００と当該突起係合部１０１とが相互に係合しあって当該溝部７内に係止固定される。
【００５５】
当該突起係合部１０１の個数も特に特定されるものではなく、又、当該突起係合部１０１の高さ或は断面形状も特に限定されるものではないが、その高さは、当該平板状部１０の厚み及び当該溝部７の高さ及び当該突起部１００の高さ等を勘案して設定される事が望ましく、実際には、数ｍｍ以下である事が好ましい。
【００５６】
更に当該突起係合部１０１の断面形状は例えば、半円形、半楕円形、三角形或はこれらの変形形状のいずれか１つで構成されている事が望ましく、当該突起部１００との間で相互に係合離脱が容易に実行できる様な形状を採用する事が好ましい。
【００５７】
又、本考案における当該突起係合部１０１は、当該表示具支持部搭載板部４の当該溝部７への挿入離脱方向に対向する端部４８の少なくとも一方の端部に設けられることが望ましく、場合によっては、双方の端部４８に設ける事も可能である。
【００５８】
又、本考案の具体例では、図６（Ｄ）に示す様に、当該ストッパーとして当該溝部７の高さを挿入部９から奥に移行するにつれて徐々に短くして、終端部では、当該平板４の厚みとほぼ同一或は若干短くするように設定するものであっても良い。
【００５９】
図７は、本考案に於ける当該表示具保持装置１の更に別の具体例を示すものであって、当該具体例では、当該表示具支持部３に於ける当該基底部４０の少なくとも一部に当該表示具２の端部をその間隙内に固定把持する表示具把持部１１０が設けられているものであって、その構成は特に限定されるものではないが、図示の様に、適宜の間隔を有して形成された溝状或はスリット状の把持機構であっても良く、それによって当該表示具２の下端部を把持し、確実に固定出来る機構であれば如何なる構成でも実現可能であり、前記した当該一対の表示具支持板部６１，６２の先端部５０、５１が当該表示具２を固定把持する機構と相互に共同して当該表示具２の固定機能を強化することになる。
【００６０】
又、本考案に係る当該表示具保持装置１の当該表示具支持部搭載板部４の平面形状は、上記具体例では矩形の例を示したが、場合によっては当該表示具支持部取付用平板４の形状は、Ｕ字型、半球型、楕円型、多角形型等の形状を採用する事も可能である。
【００６１】
同様に、当該表示具支持部搭載板部係止部材５の溝部７の配列形状は、当該表示具支持部搭載板部４の両側縁に沿って互いに平行に配列されている例を示したが、上記した表示具支持部搭載板部４の形状に合わせて、Ｕ字型、半球型、楕円型、多角形型等の形状に配列されている場合で有っても良い。
【００６２】
一方、本考案に於ける当該表示具支持部取付用平板４とそれを受ける当該表示具支持部搭載板部係止部材５の平面形状が矩形である場合で、その長軸が垂直方向に設定されている例を示したが、場合によっては、その長軸が水平方向に設定される幅広の表示具支持部搭載板部４を使用する事も可能である。
【００６３】
同様に、上記具体例では、一つのパチンコ機、スロットマシン若しくはゲーム機等に一つの表示具保持装置１を配置する例を説明したが、実際には、２個或いは３個等、複数個の当該表示具保持装置１を左右或いは上下方向に連続して配置し、複数種類の当該表示具を同時に表示する事も可能である。
【００６４】
本考案に於いては、上記した様に、当該表示具支持部搭載板部４は、当該表示具２の種類、当該表示具支持部の種類、或いは当該表示具支持部３の支持機能の劣化等に応答して、使用中の表示具支持部搭載板部４と別の表示具支持部搭載板部４とを当該表示具支持部搭載板部係止部材５に於いて差替自在に構成されているものであるから、当該表示具支持部搭載板部係止部材５を当該幕板或いは所定の壁面に固定したままで、当該表示具支持部３を所望の構成を有する当該表示具支持部３に任意に且つ自由に然も短時間に容易に交換処理する事が出来るので、効率的であると同時にコストを大幅に削減する事が可能となる。
【００６５】
更に、本考案では、当該表示具支持部搭載板部」４は共通的に使用する事が出来るので、その分、コスト削減に寄与させる事も可能である。
【００６６】
又、本考案に係る当該表示体保持具１は、パチンコ機或いはスロットマシン若しくはゲーム機等の幕板部、表示具として使用される他、本屋に於ける書棚或いは商店、デパート、スーパー、コンビニ、ディスカウントショップ等に於ける商品陳列棚、更には自動出札機、自動販売機等の機台若しくは枠台、又は、商品生産工場或いは研究室の装置や製品、部品或いは原材料若しくは試料等の載置棚の一部、観客用の座席の表示部に設けられて有効に使用される事が出来る。
【図面の簡単な説明】
【００６７】
【図１】図１は、本考案に於ける表示具保持装置の一具体例の構成を説明する斜視図である。
【図２】図２は、本考案に於ける表示具保持装置の一具体例を示す断面図である。
【図３】図３は、本考案に於ける表示具保持装置の他の具体例を示す断面図である。
【図４】図４は、本考案に於ける表示具保持装置の別の具体例を示す断面図である。
【図５】図５は、従来の表示具保持装置の一例を説明する図である。
【図６】図６は、本考案に於けるストッパー機能を有する部材の具体例の構成を示す図である。
【図７】図７は、本考案に於ける表示具保持装置の異なる具体例を示す断面図である。
【符号の説明】
【００６８】
１．    表示具保持装置
２．    表示具
３．    表示具支持部
４．    表示具支持部搭載板部
５．    表示具支持部搭載板部係止部材
６．    基板部
７．    溝部
８．    底部
９．    挿入開口部  １０．  平面状部
２０．  本体部
２１．  基板
２２、２３．  板状体
２４．  接触位置
２５、２６．  一対のスリット板状体
４０．  基底部
４１．  基板の一方の面
４２．  中折れ状部、中湾曲状部
４３．  該基板表示具取り付け可能面と対向する面
４５、４６．  基底部両端部
４７、４８．  脚部
７１、７２．  溝開口部
８１、８２．  基板の左右両側
８３．  最下端部
８５．  螺子手段
８６．  接着手段、両面接着テープ
８７．  螺子孔部
１００．  突起部
１０１．  突起係合部
１１０．  表示具把持部
【図１】
0003130018.tif 000003
【図２】
0003130018.tif 000004
【図３】
0003130018.tif 000005
【図４】
0003130018.tif 000006
【図５】
0003130018.tif 000007
【図６】
0003130018.tif 000008
【図７】
0003130018.tif 000009